(57)【要約】【課題】複数のプラグを１つのプラグ保持板で抜け止めすることが可能なプラグ保持板及びプラグ保持具を提供する。【解決手段】機器３０類のソケット３１からプラグ３２の抜けを防止するために使用されるプラグ保持板１０において、プラグ３２の根元３３に掛け止めさせるための切欠き１２と、結束具２５を差し込むための挿通孔１５、１６と、を備え、前記切欠き１２は、前記プラグ保持板１０の側縁１１に開口形成された幅狭の導入部１３と、前記導入部１３に連続するように形成された保持部１４と、からなり、前記保持部１４を略楕円形状で形成するとともに、この楕円形状の長軸方向に沿って前記切欠き１２を複数連設した。【選択図】図４
2015053135.tif 000002
【特許請求の範囲】
【請求項１】
機器類のソケットからプラグの抜けを防止するために使用されるプラグ保持板であって、
プラグの根元に掛け止めさせるための切欠きと、
結束具を差し込むための挿通孔と、
を備え、
前記切欠きは、前記プラグ保持板の側縁に開口形成された幅狭の導入部と、前記導入部に連続するように形成された保持部と、からなり、
前記保持部を略楕円形状で形成するとともに、この楕円形状の長軸方向に沿って前記切欠きを複数連設したことを特徴とする、プラグ保持板。
【請求項２】
請求項１記載のプラグ保持板と、機器類に固着される支持板と、を備えたプラグ保持具であって、
前記支持板には、前記挿通孔に差し込まれた結束具を固定するための固定部が複数配設されていることを特徴とする、プラグ保持具。
【発明の詳細な説明】
【技術分野】
【０００１】
この発明は、機器類のソケットからプラグの抜けを防止するために使用されるプラグ保持板及びプラグ保持具に関する。
【背景技術】
【０００２】
本出願人は、接続したプラグが誤って抜けてしまう問題の対策として、例えば特許文献１記載のプラグ保持板を提案した。
【０００３】
特許文献１記載のプラグ保持板は、プラグの根元に掛け止めさせるための切欠きを中央に形成し、前記切欠きの両側には帯状の結束具を差し込むための長孔を平行に形成するとともに、前記長孔の両端付近及び前記長孔の中央付近に紐状の結束具を差し込むための挿通孔を形成したことを特徴としている。このようなプラグ保持板を使用すれば、プラグ保持板を結束具で固定する際に状況に応じた孔を選択して結束具を挿通することができるので、結束具の固定位置に関する制約を小さくすることができる。具体的には、細長状面ファスナー、帯状面ファスナー、タイベースなどの各種の結束具を状況に応じて使い分けることで、様々な機器の形状や配置に対応してプラグの抜けを防止することができる。
【先行技術文献】
【特許文献】
【０００４】
【特許文献１】特開２０１２−２４８３５５号公報
【発明の概要】
【発明が解決しようとする課題】
【０００５】
ところで、上記した特許文献１記載のプラグ保持板は、１つのプラグを１つのプラグ保持板で抜け止めするものであり、複数のプラグを１つのプラグ保持板で抜け止めすることを考慮したものではなかった。
そこで、本発明は、複数のプラグを１つのプラグ保持板で抜け止めすることが可能なプラグ保持板及びプラグ保持具を提供することを課題とする。
【課題を解決するための手段】
【０００６】
本発明は、上記した課題を解決するためになされたものであり、以下を特徴とする。
【０００７】
（請求項１）
請求項１に記載のプラグ保持板は、機器類のソケットからプラグの抜けを防止するために使用されるプラグ保持板であって、プラグの根元に掛け止めさせるための切欠きと、結束具を差し込むための挿通孔と、を備え、前記切欠きは、前記プラグ保持板の側縁に開口形成された幅狭の導入部と、前記導入部に連続するように形成された保持部と、からなり、前記保持部を略楕円形状で形成するとともに、この楕円形状の長軸方向に沿って前記切欠きを複数連設したことを特徴とする。
【０００８】
（請求項２）
請求項２に記載のプラグ保持具は、請求項１記載のプラグ保持板と、機器類に固着される支持板と、を備えたプラグ保持具であって、前記支持板には、前記挿通孔に差し込まれた結束具を固定するための固定部が複数配設されていることを特徴とする。
【発明の効果】
【０００９】
請求項１に記載の発明は上記の通りであり、プラグの根元に掛け止めさせるための切欠きを備え、前記切欠きは、プラグ保持板の側縁に開口形成された幅狭の導入部と、前記導入部に連続するように形成された保持部と、からなり、前記保持部を略楕円形状で形成するとともに、この楕円形状の長軸方向に沿って前記切欠きを複数連設している。すなわち、切欠きを複数連設したため、複数のプラグを１つのプラグ保持板で抜け止めすることができる。このとき、複数のプラグの形状や間隔は機器によって異なることが考えられるが、プラグの根元を保持する保持部が略楕円形状で形成されているため、プラグの形状や間隔の違いを略楕円形状の長軸方向で吸収することができる。
【００１０】
また、請求項２に記載の発明は上記の通りであり、機器類に固着される支持板を備え、前記支持板には、前記挿通孔に差し込まれた結束具を固定するための固定部が複数配設されているので、１つの支持板で複数のプラグ保持板を固定することができる。すなわち、プラグ保持板と支持板とを組み合わせることで、縦横の両方向に複数のプラグを抜け止めすることができる。
【図面の簡単な説明】
【００１１】
【図１】（ａ）プラグ保持板の平面図、（ｂ）支持板の平面図、（ｃ）支持板の側面図である。
【図２】支持板を取り付けた状態を示す図である。
【図３】プラグ保持板を係合させた状態を示す図である。
【図４】プラグ保持板を結束具で固定した状態を示す図である。
【図５】変形例に係るプラグ保持板の平面図である。
【発明を実施するための形態】
【００１２】
本発明の実施形態について、図を参照しながら説明する。
【００１３】
本実施形態に係るプラグ保持具は、プラグ３２の抜けを防止するために使用されるものであって、図１に示すように、プラグ保持板１０と支持板２０とを備えて構成される。
【００１４】
プラグ保持板１０は、図１（ａ）に示すように、略方形状に形成された板部材である。プラグ保持板１０の材質は、樹脂、木板、金属板など、プラグ３２をしっかりと保持できる程度の硬度をもったものであればよい。このプラグ保持板１０の中央には、プラグ３２の根元３３に掛け止めさせるための切欠き１２が形成されている。この切欠き１２は、プラグ保持板１０の側縁１１に開口形成された幅狭の導入部１３が外部に臨んで形成されるとともに、この導入部１３の奥に連続するように保持部１４が形成されたものである。
【００１５】
なお、導入部１３はプラグ３２を切欠き１２の内側に通すための開口部である。また、保持部１４は切欠き１２の内側に通したプラグ３２の根元３３を保持する部分である。この保持部１４は、図１（ａ）に示すように、平面視で略楕円形状に形成されており、プラグ３２の根元３３に切欠き１２を掛け止めさせたときでも、略楕円形状の長軸方向に余裕が生まれるようになっている。
【００１６】
また、本実施形態に係る切欠き１２は、図１（ａ）に示すように、保持部１４の楕円形状の長軸方向に沿って複数連設されている。このため、１つのプラグ保持板１０によって複数のプラグ３２を保持できるように形成されている。なお、図１（ａ）のプラグ保持板１０は２つの切欠き１２を備えた例としているが、本発明の実施形態としてはこれに限らず３つ以上の切欠き１２を備えていてもよい。
【００１７】
このプラグ保持板１０の両端部付近には、結束具２５を差し込むための挿通孔が形成されている。本実施形態においては、ケーブルタイ用孔１５と、面ファスナー用孔１６と、の２種類の挿通孔がそれぞれプラグ保持板１０の両端部付近に貫通形成されている。
【００１８】
ケーブルタイ用孔１５は、結束具２５としての市販のケーブルタイ（図４参照）を差し込むためのものであり、図１（ａ）に示すような長孔形状で形成されている。
【００１９】
面ファスナー用孔１６は、結束具２５としての面ファスナー（図示せず）を差し込むためのものであり、図１（ａ）に示すような長細のスリット形状で形成されている。この面ファスナー用孔１６の両端付近には円形状の端部挿通部１７が形成されている。
【００２０】
支持板２０は、図２等に示すように、機器３０類のソケット３１付近に固着されるものであり、結束具２５を固定するために使用される部品である。この支持板２０は裏面に両面テープなどが貼付されていることで機器３０類に固着可能となっている。この支持板２０の表面には、図１（ｂ）及び（ｃ）に示すように、ブリッジ状に突出した固定部２１が形成されており、この固定部２１の内側に結束具２５を差し込み可能な挿通路２２が形成されている。この固定部２１は、支持板２０の長手方向に沿って等間隔で複数配設されており、１つの支持板２０によって複数の結束具２５を固定できるように形成されている。
次に、このプラグ保持具の使用方法について説明する。
【００２１】
図２に示すように、まず取り付け対象の機器３０に対して支持板２０を固着する。支持板２０は機器３０のソケット３１の両側にそれぞれ固着され、２つの支持板２０が互いに平行となるように固着される。このとき、ソケット３１の差し込み口の横に支持板２０の固定部２１がくるように、位置を合わせて固着する（両側の固定部２１を結んだ線上にソケット３１の差し込み口が位置するように支持板２０を固着する）。
【００２２】
そして、図３に示すように、プラグ保持板１０をプラグ３２の根元３３に掛け止めする。すなわち、切欠き１２の導入部１３を使用して、切欠き１２の内側にプラグ３２を通す。本実施形態においては、２つ並んで差し込まれたプラグ３２を固定するために、２つの切欠き１２を設けたプラグ保持板１０を使用している。そして、この２つの切欠き１２のそれぞれにプラグ３２の根元３３に掛け止めしている。
【００２３】
最後に、図４に示すように、プラグ保持板１０のケーブルタイ用孔１５に結束具２５（市販のケーブルタイ）を通すことでプラグ保持板１０を固定する。すなわち、結束具２５を支持板２０の固定部２１に形成された挿通路２２に挿通させ、更にプラグ保持板１０のケーブルタイ用孔１５に挿通させて結束することで、プラグ保持板１０と支持板２０とを強固に固定する。これにより、プラグ３２を保持したプラグ保持板１０が機器３０に対して固定されるので、ガタつきも起きづらく、プラグ３２の抜けを確実に防止することができる。なお、結束具２５で固定した後に、結束具２５に余長がある場合には、この余長は鋏などで切断してもよい。
【００２４】
また、縦に複数のプラグ３２が取り付けられている場合、図４に示すように、複数のプラグ保持板１０を使用してプラグ３２を固定すればよい。このとき、支持板２０には複数の固定部２１が形成されているため、プラグ保持板１０ごとに支持板２０を設けなくても、複数のプラグ保持板１０で１つの支持板２０を共有して使用できるので、設置作業が容易であり、設置面積も小さくて済む。
【００２５】
このように、本実施形態によれば、プラグ保持板１０は、プラグ３２の根元３３に掛け止めさせるための切欠き１２を備え、前記切欠き１２は、プラグ保持板１０の側縁１１に開口形成された幅狭の導入部１３と、前記導入部１３に連続するように形成された保持部１４と、からなり、前記保持部１４を略楕円形状で形成するとともに、この楕円形状の長軸方向に沿って前記切欠き１２を複数連設している。すなわち、切欠き１２を複数連設したため、複数のプラグ３２を１つのプラグ保持板１０で抜け止めすることができる。このとき、複数のプラグ３２の形状や間隔は機器３０によって異なることが考えられるが、プラグ３２の根元３３を保持する保持部１４が略楕円形状で形成されているため、プラグ３２の形状や間隔の違いを略楕円形状の長軸方向で吸収することができる。
【００２６】
また、結束具２５を固定するために機器３０類に固着される支持板２０を備え、前記支持板２０には、前記結束具２５を固定するための固定部２１が複数配設されているので、１つの支持板２０で複数のプラグ保持板１０を固定することができる。すなわち、プラグ保持板１０と支持板２０とを組み合わせることで、縦横の両方向に複数のプラグ３２を抜け止めすることができる。
【００２７】
なお、上記説明においては結束具２５としてケーブルタイを使用したが、これに限らず、結束具２５として面ファスナーを使用してもよい。また、面ファスナーを使用してプラグ保持板１０を固定する際には、ケーブルタイ用孔１５ではなく面ファスナー用孔１６を使用してプラグ保持板１０を固定してもよい。また、ケーブルタイと面ファスナーとを共用してプラグ保持板１０を固定したり、ケーブルタイ用孔１５と面ファスナー用孔１６とを組み合わせて使用してもよい。このように、固定方法のバリエーションを活用することで、様々な機器３０やプラグ３２の形状や配置に対応してプラグ３２の抜けを防止することができる。
なお、面ファスナーを使用したプラグ保持板１０の固定方向は、特開２０１２−２４８３５５号公報と同様の方法を採用すればよい。
【００２８】
また、面ファスナーを使用しない場合には、図５（ａ）に示すように、面ファスナー用孔１６を設けずに、ケーブルタイ用孔１５のみを設けてもよい。このようにすれば、プラグ保持板１０の幅Ｗ（切欠き１２の連設方向に対して直交方向に見た幅）が小さくなるので、ソケット３１の間隔が狭いなどスペースに余裕がない場合でも、図５（ｂ）に示すように、プラグ保持板１０を並べて配設することができる。
【符号の説明】
【００２９】
１０  プラグ保持板
１１  側縁
１２  切欠き
１３  導入部
１４  保持部
１５  ケーブルタイ用孔（挿通孔）
１６  面ファスナー用孔（挿通孔）
１７  端部挿通部
２０  支持板
２１  固定部
２２  挿通路
２５  結束具
３０  機器
３１  ソケット
３２  プラグ
３３  根元
３４  プラグケーブル
Ｗ  保持板の幅
【図１】
2015053135.tif 000003
【図２】
2015053135.tif 000004
【図３】
2015053135.tif 000005
【図４】
2015053135.tif 000006
【図５】
2015053135.tif 000007